(57)【要約】  構内をモニタする侵入検知システムが、少なくとも１本の光ファイバを収容していて構内の周りに延びる少なくとも１本の光ケーブルを有する。光時間領域後方散乱測定（ＯＴＤＲ）手段が、少なくとも１本の光ファイバの互いに反対側に位置する第１の端部及び第２の端部に動作可能に結合されている。ＯＴＤＲは、構内の侵入を検知するために少なくとも１本の光ファイバの第１の端部を介して受け取った後方散乱信号を分析する第１の信号処理回路と、構内の侵入を検知するために少なくとも１本の光ファイバの第２の端部を介して受け取った後方散乱信号を分析する第２の信号処理回路とを有する。第１及び第２の信号処理回路により行われる侵入決定の重複を検証する。システムは、好ましくは、少なくとも１本の光ファイバの破断を検知する手段、破断の存在場所を突き止める手段、破断の存在場所をユーザに出力する手段、及び破断を指示する警報を発する手段を更に有する。【選択図】図３
2010515094.tif 000002
【特許請求の範囲】
【請求項１】
構内をモニタする侵入検知システムであって、
前記構内の周りに延びる少なくとも１本の光ケーブルを有し、前記少なくとも１本の光ケーブルは、第１の端部及びこれと反対側の第２の端部を備えた少なくとも１本の光ファイバを有し、
前記少なくとも１本の光ファイバの前記第１の端部及び前記第２の端部に動作可能に結合された光時間領域後方散乱測定手段を有し、前記光時間領域後方散乱測定手段は、前記構内の侵入を検知するために前記少なくとも１本の光ファイバの前記第１の端部を介して受け取った後方散乱信号を分析する第１の信号処理回路と、前記構内の侵入を検知するために前記少なくとも１本の光ファイバの前記第２の端部を介して受け取った後方散乱信号を分析する第２の信号処理回路とを有する、侵入検知システム。
【請求項２】
前記第１の信号処理回路及び前記第２の信号処理回路に動作可能に結合されていて、前記第１の信号処理回路及び前記第２の信号処理回路によって行われた侵入決定の重複を検証する制御手段を更に有する、請求項１記載の侵入検知システム。
【請求項３】
前記制御手段は、前記第１の信号処理手段に動作可能に結合された第１の部分と、前記第２の信号処理手段に動作可能に結合されていて、前記第１の部分から遠くに配置された第２の部分と、前記第１の部分と前記第２の部分との間でデータを伝送する通信手段とを有する、請求項２記載の侵入検知システム。
【請求項４】
前記少なくとも１本の光ファイバの破断を検出する手段を更に有する、請求項１記載の侵入検知システム。
【請求項５】
前記少なくとも１本の光ファイバの前記破断の存在場所を突き止める手段を更に有する、請求項４記載の侵入検知システム。
【請求項６】
前記少なくとも１本の光ファイバの前記破断の前記存在場所をユーザに出力する手段を更に有する、請求項５記載の侵入検知システム。
【請求項７】
前記破断の検出に応答して動作し、前記少なくとも１本の光ファイバの前記破断を指示する警報を発する手段を更に有する、請求項４記載の侵入検知システム。
【請求項８】
前記第１の信号処理回路は、後方散乱信号データを前記少なくとも１本の光ファイバの互いに異なる長さ分に対応した第１の組をなすタイムビンに記憶し、第１の侵入決定を行うために前記第１の組のそれぞれのタイムビンに記憶された前記後方散乱信号データによって表された干渉パターンを経時的に分析し、
前記第２の信号処理回路は、後方散乱信号データを前記少なくとも１本の光ファイバの互いに異なる長さ分に対応した第２の組をなすタイムビンに記憶し、第２の侵入決定を行うために前記第２の組のそれぞれのタイムビンに記憶された前記後方散乱信号データによって表された干渉パターンを経時的に分析する、請求項１記載の侵入検知システム。
【請求項９】
各々が第１の端部及びこれと反対側の端部を備えた１対の光ファイバを収容した光ケーブルを有し、前記光ファイバ対に属する一方の光ファイバの前記第１の端部は、前記光時間領域後方散乱測定手段に動作可能に結合され、前記光ファイバ対に属する他方の光ファイバの前記第２の端部は、前記光時間領域後方散乱測定手段に動作可能に結合されている、請求項１記載の侵入検知システム。
【請求項１０】
前記光時間領域後方散乱測定手段は、
光パルスを発生させるレーザ源と、
光検出器と、
前記レーザ源と前記光ファイバ対との間に動作可能に結合された光スイッチ付き方向性結合器とを有し、前記光スイッチ付き方向性結合器は、前記光パルスを前記光ファイバ対により時分割多重化方式で方向づけると共に前記光ファイバ対に沿って伝搬して戻った散乱信号を前記光検出器に時分割多重化方式で方向づけ、
前記第１の信号処理回路は、前記構内の侵入を検知するために前記一方の光ファイバの前記第１の端部を介して受け取った前記後方散乱信号を分析し、
前記第２の信号処理回路は、前記構内の侵入を検知するために前記他方の光ファイバの前記第２の端部を介して受け取った後方散乱信号を分析する、請求項９記載の侵入検知システム。
【請求項１１】
前記光時間領域後方散乱測定手段は、
光パルスを発生させる第１のレーザ源を有し、
第１の光検出器を有し、
前記第１のレーザ源と前記光ファイバ対の前記一方の光ファイバの前記第１の端部との間に動作可能に結合された第１の方向性結合器を有し、前記第１の方向性結合器は、前記第１のレーザ源により発生した前記光パルスを前記一方の光ファイバにより方向づけると共に前記一方の光ファイバに沿って伝搬して戻った散乱信号を前記第１の光検出器に方向づけ、前記第１の信号処理回路は、前記構内の侵入を検知するために前記一方の光ファイバを介して受け取った前記後方散乱信号を分析し、
光パルスを発生させる第２のレーザ源を有し、
第２の光検出器を有し、
前記第２のレーザ源と前記光ファイバ対の前記他方の光ファイバとの間に動作可能に結合された第２の方向性結合器を有し、前記第２の方向性結合器は、前記第２のレーザ源により発生した前記光パルスを前記他方の光ファイバにより方向づけると共に前記他方の光ファイバに沿って伝搬して戻った散乱信号を前記第２の光検出器に方向づけ、前記第２の信号処理回路は、前記構内の侵入を検知するために前記他方の光ファイバを介して受け取った前記後方散乱信号を分析する、請求項９記載の侵入検知システム。
【請求項１２】
第１の端部及びこれと反対側の第２の端部を備えた光ファイバを収容する光ケーブルを有する、請求項１記載の侵入検知システム。
【請求項１３】
前記光時間領域後方散乱測定手段は、
第１の波長の光パルスを発生させる第１のレーザ源を有し、
第１の光検出器を有し、
前記第１のレーザ源と前記光ファイバの前記第１の端部との間に動作可能に結合された第１の方向性結合器を有し、前記第１の方向性結合器は、前記第１のレーザ源により発生した前記光パルスを前記光ファイバにより方向づけると共に前記光ファイバに沿って伝搬して戻った散乱信号を前記第１の光検出器に方向づけ、前記第１の信号処理回路は、前記構内の侵入を検知するために前記光ファイバの第１の端部を介して受け取った前記第１の波長の前記後方散乱信号を分析し、
第１の波長とは異なる第２の波長の光パルスを発生させる第２のレーザ源を有し、
第２の光検出器を有し、
前記第２のレーザ源と前記光ファイバの前記第２の端部との間に動作可能に結合された第２の方向性結合器を有し、前記第２の方向性結合器は、前記第２のレーザ源により発生した前記光パルスを前記光ファイバにより方向づけると共に前記光ファイバに沿って伝搬して戻った散乱信号を前記第２の光検出器に方向づけ、前記第２の信号処理回路は、前記構内の侵入を検知するために前記光ファイバの第２の端部を介して受け取った前記第２の波長の前記後方散乱信号を分析する、請求項１２記載の侵入検知システム。
【請求項１４】
構内の侵入を検知する方法であって、
前記構内の周りに延びる少なくとも１本の光ケーブルであって、第１の端部及びこれと反対側の第２の端部を備えた少なくとも１本の光ファイバを有する少なくとも１本の光ケーブルを用意するステップと、
光時間領域後方散乱測定手段を前記少なくとも１本の光ファイバの前記第１の端部及び前記第２の端部に結合するステップと、
前記光時間領域後方散乱測定手段を用いて前記構内の侵入を検知するために前記少なくとも１本の光ファイバの前記第１の端部を介して受け取った後方散乱信号を分析すると共に前記少なくとも１本の光ファイバの前記第２の端部を介して受け取った後方散乱信号を分析するステップとを有する、方法。
【請求項１５】
前記少なくとも１本の光ファイバの前記第１の端部及び前記第２の端部を介して受け取った別々の後方散乱信号の分析に基づいて侵入決定の重複を検証するステップを更に有する、請求項１４記載の方法。
【請求項１６】
前記少なくとも１本の光ファイバの前記第１の端部及び前記第２の端部を介して受け取った別々の後方散乱信号の分析に基づいて少なくとも１本の光ファイバの破断を検出するステップを更に有する、請求項１４記載の方法。
【請求項１７】
前記少なくとも１本の光ファイバの前記破断の存在場所を突き止めるステップを更に有する、請求項１６記載の方法。
【請求項１８】
前記少なくとも１本の光ファイバの前記破断の前記存在場所をユーザに出力するステップを更に有する、請求項１７記載の方法。
【請求項１９】
前記破断の検出に応答して、前記少なくとも１本の光ファイバの前記破断を指示する警報を発するステップを更に有する、請求項１６記載の方法。
【請求項２０】
前記光時間領域後方散乱測定手段は、後方散乱信号データを前記少なくとも１本の光ファイバの互いに異なる長さ分に対応した一組のタイムビンに記憶し、侵入決定を行うために前記組のそれぞれのタイムビンに記憶された前記後方散乱信号データによって表された干渉パターンを経時的に分析する、請求項１４記載の方法。
【請求項２１】
前記少なくとも１本の光ケーブルは、各々が第１の端部及びこれと反対側の第２の端部を備えた１対の光ファイバを収容した光ケーブルを含み、前記光ファイバ対に属する一方の光ファイバの前記第１の端部は、前記光時間領域後方散乱測定手段に動作可能に結合され、前記光ファイバ対に属する他方の光ファイバの前記第２の端部は、前記光時間領域後方散乱測定手段に動作可能に結合されている、請求項１４記載の方法。
【請求項２２】
前記光時間領域後方散乱測定手段は、
光パルスを発生させるレーザ源と、
光検出器と、
前記レーザ源と前記光ファイバ対との間に動作可能に結合された光スイッチ付き方向性結合器とを有し、前記光スイッチ付き方向性結合器は、前記光パルスを前記光ファイバ対により時分割多重化方式で方向づけると共に前記光ファイバ対に沿って伝搬して戻った散乱信号を前記光検出器に時分割多重化方式で方向づけ、
前記第１の信号処理回路は、前記構内の侵入を検知するために前記一方の光ファイバの前記第１の端部を介して受け取った前記後方散乱信号を分析し、前記第２の信号処理回路は、前記構内の侵入を検知するために前記他方の光ファイバの前記第２の端部を介して受け取った後方散乱信号を分析する、請求項２１記載の方法。
【請求項２３】
前記光時間領域後方散乱測定手段は、
光パルスを発生させる第１のレーザ源を有し、
第１の光検出器を有し、
前記第１のレーザ源と前記光ファイバ対の前記一方の光ファイバの前記第１の端部との間に動作可能に結合された第１の方向性結合器を有し、前記第１の方向性結合器は、前記第１のレーザ源により発生した前記光パルスを前記一方の光ファイバにより方向づけると共に前記一方の光ファイバに沿って伝搬して戻った散乱信号を前記第１の光検出器に方向づけ、前記第１の信号処理回路は、前記構内の侵入を検知するために前記一方の光ファイバを介して受け取った前記後方散乱信号を分析し、
光パルスを発生させる第２のレーザ源を有し、
第２の光検出器を有し、
前記第２のレーザ源と前記光ファイバ対の前記他方の光ファイバとの間に動作可能に結合された第２の方向性結合器を有し、前記第２の方向性結合器は、前記第２のレーザ源により発生した前記光パルスを前記他方の光ファイバにより方向づけると共に前記他方の光ファイバに沿って伝搬して戻った散乱信号を前記第２の光検出器に方向づけ、前記第２の信号処理回路は、前記構内の侵入を検知するために前記他方の光ファイバを介して受け取った前記後方散乱信号を分析する、請求項２１記載の方法。
【請求項２４】
前記少なくとも１本の光ケーブルは、第１の端部及びこれと反対側の第２の端部を備えた光ファイバを収容した光ケーブルを含む、請求項１４記載の方法。
【請求項２５】
前記光時間領域後方散乱測定手段は、
第１の波長の光パルスを発生させる第１のレーザ源を有し、
第１の光検出器を有し、
前記第１のレーザ源と前記光ファイバの前記第１の端部との間に動作可能に結合された第１の方向性結合器を有し、前記第１の方向性結合器は、前記第１のレーザ源により発生した前記光パルスを前記光ファイバにより方向づけると共に前記光ファイバに沿って伝搬して戻った散乱信号を前記第１の光検出器に方向づけ、前記第１の信号処理回路は、前記構内の侵入を検知するために前記光ファイバの第１の端部を介して受け取った前記第１の波長の前記後方散乱信号を分析し、
第１の波長とは異なる第２の波長の光パルスを発生させる第２のレーザ源を有し、
第２の光検出器を有し、
前記第２のレーザ源と前記光ファイバの前記第２の端部との間に動作可能に結合された第２の方向性結合器を有し、前記第２の方向性結合器は、前記第２のレーザ源により発生した前記光パルスを前記光ファイバにより方向づけると共に前記光ファイバに沿って伝搬して戻った散乱信号を前記第２の光検出器に方向づけ、前記第２の信号処理回路は、前記構内の侵入を検知するために前記光ファイバの第２の端部を介して受け取った前記第２の波長の前記後方散乱信号を分析する、請求項２４記載の方法。
【発明の詳細な説明】
【技術分野】
【０００１】
本発明は、広義には、セキュリティシステム及びこのセキュリティシステムに用いられる侵入検知器に関する。本発明は、特に、光ファイバ侵入検知器に関する。
【背景技術】
【０００２】
人及び車両の存在、存在場所及び動きを検知するために明確に規定された領域の境界部をモニタする侵入検知器が、セキュリティシステムにおいて広く用いられている。かかる侵入検知器に関する例示の用途としては、国境、軍事施設、化学プラント、空港、鉄道駅及び教化施設の周囲のモニタが挙げられる。これら検知器に関する課題のうちの一つは、広範な温度並びに雨、雪及び汚れへの暴露を伴う過酷な環境において遠隔作動の必要があるということにある。
【０００３】
侵入検知のための光ファイバセンサが開発された。光ファイバセンサは、可燃性の高い物質のある施設にとって特に重要であることとしての光ファイバ検出要素が受動式である（かかる光ファイバ検出要素には電気が流れない）という点において固有の利点を有している。光ファイバ検出要素は又、長い距離（例えば、数十キロメートル）に及ぶことができる。光ファイバ検出要素は、もしこれでなければ動作を損傷させ又は妨害する恐れのある電磁的影響を受けない。さらに、光ファイバ検出要素は、競合状態におかれた価格で且つ過酷な環境に耐えることができる頑丈なケーブルに入れた状態で容易に入手できる。
【０００４】
光ファイバ侵入検知システムは、オーストラリア国ビクトリア州マルグレーブ所在のフューチャー・ファイバ・テクノロジーズ・ピイティーワイ・リミテッド（Future Fiber Technologies Pty Ltd）や米国オレゴン州ヒルズボロー所在のファイバ・センシーズ（Fiber Sensys）から市販されている。フューチャー・ファイバ・テクノロジーズ社のシステムは、フォワードパス（順方向経路）及びリターンパス（戻り経路）を備えた光ファイバループを用いて動作する。フォワードパスは、２本の別々の光ファイバを有する。リターンパスは、単一の光ファイバを有する。フォワードパスの２本の光ファイバは、干渉計のアームを形成する。連続レーザ光が、干渉計の２本のアームを下って送られる。リターンパスによって戻された光が分析される。干渉計の２本のアームに作用する外部干渉（動き、音又は振動）が存在しない場合、戻り光は、変化しない。干渉計の２本のアームに作用する外部干渉が存在する場合、戻り光は変化し、干渉パターンが生じる。コントローラは、この変化を検出し、その効果を侵入イベントか周囲条件かのいずれかとして解釈する。ファイバ・センシーズ社のシステムは、コヒーレント光をマルチモード光ファイバ中に注入する。光のモードは、その長さに沿って分散し、光ファイバの終点で混じり合い、その結果、スペックルと呼ばれる明るいしみ（splotch）と暗いしみから成る特徴的な又は固有のパターンが生じる。レーザスペックルは、光ファイバが動かない状態のままである限り安定しているが、光ファイバが環境からの影響（例えば、近くを通る人又は車両）に起因して振動した場合にちらつきを生じる。侵入検知は、スペックルパターンを経時的に分析することにより達成される。いずれのシステムにおいても、光ファイバセンサに破断が生じると、侵入検知システムは、完全に動作不能になる。さらに、いずれのシステムも、光ファイバ破断の位置の検出及び報告を行うことができない。
【０００５】
別の方式が、テーラー等（Taylor et al.）に付与された米国特許第５，１９４，８５７号明細書に提案されている。テーラーのシステムでは、高コヒーレントパルスレーザからの光が検出用光ファイバ中に放出される。個々のパルスが光ファイバ内を順方向に伝搬しているとき、通常のレイリー散乱により、光の一部が一様に散乱され、僅かな部分が光ファイバによって再補足され、その後この僅かな部分は、受信器まで逆方向に伝搬する。放出されたパルスのコヒーレント性（線幅が狭いこと）により、検出可能な光干渉が散乱光の成分相互間で生じることができるようになる。システムは、検出用光ファイバに沿う局所外乱の空間分布を集めるために後方散乱信号の位相変化及びこれに対応した時間遅延を分析する。静的な場合、空間分布は、ランダムであるが安定している。動的な場合（例えば承認されていない侵入者又は車両による外乱によって引き起こされる場合がある）、局所パターンが変化する。かかる変化を利用すると、侵入の発生及び検出用光ファイバに沿う侵入のだいたい正確な（近似的）場所を指示することができる。このシステムでは、光ファイバに破断が生じると、破断を越えた箇所における侵入検知の能力が不能になる。かかる問題により、重大な意味を持つセキュリティ用途におけるかかるシステムの配備が妨げられると共に組織化されたグループ（テロリスト、盗賊及び他の望ましくない第三者）がこれらシステムをすぐに動作不能にする機会が生じる。
【０００６】
かくして、当該技術分野において、光ファイバを利用した侵入検知システムの検出用光ファイバに破断が生じた場合であっても中断なく動作できる光ファイバ利用型侵入検知システムが要望されている。
【０００７】
本発明の目的は、光ファイバを利用した侵入検知システムの検出用光ファイバに破断が生じた場合であっても中断なく動作できる光ファイバ利用型侵入検知システムを提供することにある。
【０００８】
本発明の別の目的は、かかる破断の位置を突き止めてこれを報告するかかる光ファイバ利用型侵入検知システムを提供することにある。
【先行技術文献】
【特許文献】
【０００９】
【特許文献１】米国特許第５，１９４，８５７号明細書
【発明の概要】
【００１０】
以下に詳細に説明するこれら目的に合わせて、構内をモニタする侵入検知システムが、少なくとも１本の光ファイバを収容していて構内の周りに延びる少なくとも１本の光ケーブルを有する。光時間領域後方散乱測定（ＯＴＤＲ）手段が、少なくとも１本の光ファイバの互いに反対側に位置する第１の端部及び第２の端部に動作可能に結合されている。ＯＴＤＲは、構内の侵入を検知するために少なくとも１本の光ファイバの第１の端部を介して受け取った後方散乱信号を分析する第１の信号処理回路と、構内の侵入を検知するために少なくとも１本の光ファイバの第２の端部を介して受け取った後方散乱信号を分析する第２の信号処理回路とを有する。第１及び第２の信号処理回路により行われる侵入決定の重複を検証する。システムは、好ましくは、少なくとも１本の光ファイバの破断を検知する手段、破断の存在場所を突き止める手段、破断の存在場所をユーザに出力する手段、及び破断を指示する警報を発する手段を更に有する。
【００１１】
理解されるように、本明細書において説明する光ファイバ利用型侵入検知システムは、このシステムの検出用光ファイバに破断が生じた場合でも続行した動作を提供する。かかるシステムは又、かかる破断の位置を報告する。さらに、本明細書において説明する光ファイバ利用型侵入検知システムは、多種多様な用途、例えば国境、軍事施設、化学プラント、空港、鉄道駅、教化施設、電力ケーブル、トンネル、パイプライン、建物又は他の情報処理能力のある構造物のモニタに利用できる。
【００１２】
本発明の一実施形態によれば、ＯＴＤＲ手段は、光パルスを発生させるレーザ源と、光検出器と、レーザ源と光ファイバ対との間に動作可能に結合された光スイッチ付き方向性結合器とを有する。方向性結合器と光スイッチは、光パルスを光ファイバ対により時分割多重化方式で方向づけると共に光ファイバ対に沿って伝搬して戻った散乱信号を光検出器に時分割多重化方式で方向づけるよう協働する。第１の信号処理回路は、構内の侵入を検知するために一方の光ファイバの第１の端部を介して受け取った後方散乱信号を分析する。第２の信号処理回路は、構内の侵入を検知するために他方の光ファイバの第２の端部を介して受け取った後方散乱信号を分析する。
【００１３】
本発明の別の実施形態によれば、ＯＴＤＲ手段は、光パルスを発生させる第１のレーザ源と、第１の光検出器と、第１のレーザ源と光ファイバ対の一方の光ファイバの第１の端部との間に動作可能に結合された第１の方向性結合器とを有する。第１の方向性結合器は、第１のレーザ源により発生した光パルスを一方の光ファイバにより方向づけると共に一方の光ファイバに沿って伝搬して戻った散乱信号を第１の光検出器に方向づける。第１の信号処理回路は、構内の侵入を検知するために一方の光ファイバを介して受け取った後方散乱信号を分析する。ＯＴＤＲ手段は、光パルスを発生させる第２のレーザ源と、第２の光検出器と、第２のレーザ源と光ファイバ対の他方の光ファイバとの間に動作可能に結合された第２の方向性結合器とを更に有する。第２の方向性結合器は、第２のレーザ源により発生した光パルスを他方の光ファイバにより方向づけると共に他方の光ファイバに沿って伝搬して戻った散乱信号を第２の光検出器に方向づける。第２の信号処理回路は、構内の侵入を検知するために他方の光ファイバを介して受け取った後方散乱信号を分析する。
【００１４】
本発明の更に別の実施形態によれば、ＯＴＤＲ手段は、第１の波長の光パルスを発生させる第１のレーザ源と、第１の光検出器と、第１のレーザ源と光ファイバの第１の端部との間に動作可能に結合された第１の方向性結合器とを有する。第１の方向性結合器は、第１のレーザ源により発生した光パルスを光ファイバにより方向づけると共に光ファイバに沿って伝搬して戻った散乱信号を第１の光検出器に方向づける。第１の信号処理回路は、構内の侵入を検知するために光ファイバの第１の端部を介して受け取った第１の波長の後方散乱信号を分析する。ＯＴＤＲ手段は、第１の波長とは異なる第２の波長の光パルスを発生させる第２のレーザ源と、第２の光検出器と、第２のレーザ源と光ファイバの第２の端部との間に動作可能に結合された第２の方向性結合とを更に有する。第２の方向性結合器は、第２のレーザ源により発生した光パルスを光ファイバにより方向づけると共に光ファイバに沿って伝搬して戻った散乱信号を第２の光検出器に方向づける。第２の信号処理回路は、構内の侵入を検知するために光ファイバの第２の端部を介して受け取った第２の波長の後方散乱信号を分析する。
【００１５】
本発明の追加の目的及び追加の利点は、添付の図面と関連して行われる以下の詳細な説明を読むと当業者には明らかになろう。
【図面の簡単な説明】
【００１６】
【図１】本発明の第１の実施形態としての光ファイバ侵入検知システムの略図である。
【図２】図１の光ファイバ侵入検知システムによって実行される例示の信号処理機能及び制御機能の機能ブロック図である。
【図３】本発明の第２の実施形態としての光ファイバ侵入検知システムの略図である。
【図４】図３の光ファイバ侵入検知システムによって実行される例示の信号処理機能及び制御機能の機能ブロック図である。
【図５】本発明の第３の実施形態としての光ファイバ侵入検知システムの略図である。
【図６】図５の光ファイバ侵入検知システムによって実行される例示の信号処理機能及び制御機能の機能ブロック図である。
【発明を実施するための形態】
【００１７】
今図１を参照すると、本発明の第１の実施形態としての侵入検知システム１０が、光時間領域後方散乱測定装置（ＯＴＤＲ）（要素１１，１３，１５，２１，２３）を有し、このＯＴＤＲは、一連の光パルスを２本の光ファイバ１７Ａ，１７Ｂの互いに反対側の端部中に注入し、屈折率が変わる光ファイバ中の箇所から散乱して戻ると共に反射して戻った光をこれら同一の互いに反対側の端部から抽出する。後方散乱光を測定し、時間の関数として記憶し、そしてこれを分析して侵入に関する決定をフォールトトレラント（fault tolerant）方式で行う。
【００１８】
具体的に説明すると、光時間領域後方散乱測定は、パルス化モードレーザ源１１が一連の高コヒーレント光パルスを、方向性結合器１３を介して光スイッチ１５に放出することによって実現される。光スイッチ１５は、レーザ源１１によって生じた光パルスを時分割多重化方式で２本の光ファイバ１７Ａ，１７Ｂに交互に差し向ける。光ファイバ１７Ａ，１７Ｂは、システムの検出要素を形成し、光ファイバケーブル１９内に収容されており、この光ファイバケーブルは、侵入が検知されたかどうかについてモニタされるべき構内２０の周囲に沿って配備又は布設されている。これは、国境、軍事施設、化学プラント、空港、鉄道駅、教化施設、電力ケーブル、トンネル、パイプライン、建物又は他の情報処理能力のある構造物に沿うのが良い。パイプラインに関し、優先してパイプラインに入った構築機材をこれがパイプラインを損傷する恐れのある前に検出するためにパイプラインを優先してモニタするよう光ファイバケーブル１９を配備するのが良い。光ファイバケーブル１９の一端部のところで、光ファイバ１７Ａは、図示のように光スイッチ１５に結合される。光ファイバケーブル１９の他端部では、光ファイバ１７Ｂは、図示のように光スイッチ１５に結合される。この構成では、光ファイバ１７Ａは、時計回りの方向にモニタされるべき構内２０の周囲に沿って延び、光ファイバ１７Ｂは、これとは逆の反時計回りの方向にモニタされるべき構内２０の周囲に沿って延びている。パルスが光ファイバ１７Ａか光ファイバ１７Ｂかのいずれか一方に沿って伝搬しているとき、その光は、幾つかの機構によって散乱され、かかる機構は、密度及び組成の変動（レイリー散乱）並びに分子及びバルク振動（それぞれ、ラマン散乱及びブリュアン散乱）を含む。この散乱光のうちの何割かは、それぞれの光ファイバコア内に保持され、レーザ源１１に向かって案内されて戻される。この戻り光は、光スイッチ１５を通って方向性結合器１３に至り、ここで、光検出器２１に差し向けられる。
【００１９】
光検出器２１は、受け取った後方散乱光を電気信号に変換し、信号処理ブロック２３に出力できるようこの電気信号を増幅する。光検出器２１によって出力された信号は、光ファイバ１７Ａ及び光ファイバ１７Ｂから後方散乱された光に関する移動‐時間‐窓（moving-time-window）干渉パターンを表す。かかる干渉パターンは、光ファイバ１７Ａ，１７Ｂの互いに異なる部分からの後方散乱光の干渉状態を表している。光ファイバ１７Ａ，１７Ｂのうちのいずれか一方（又は両方）が例えば承認されていない侵入者又は車両からの外乱によって引き起こされる場合のある衝突音響波（又は圧力）を受けた場合、それぞれの光ファイバの有効屈折率の局所変化が引き起こされ、それにより、外乱の場所に相当する時点でかかる干渉パターンの変化が生じる。光ファイバ１７Ａへの光スイッチ１５の結合時間中、信号処理ブロック２３は、光検出器２１によって出力された信号をディジタル形態に変換し、かかるディジタルデータを時間分解方式で処理してかかるディジタルデータ中の干渉パターンの変化を突き止め、かかる干渉パターンの変化に基づいて侵入が発生したかどうかの判定を行う。同様に、光ファイバ１７Ｂへの光スイッチ１５の結合時間中、信号処理ブロック２３は、光検出器２１によって出力された信号をディジタル形態に変換し、かかるディジタルデータを時間分解方式で処理してかかるディジタルデータ中の干渉パターンの変化を突き止め、かかる干渉パターンの変化に基づいて侵入が発生したかどうかの判定を行う。システムコントローラ２５は、信号処理ブロック２３との間のデータ経路２３によりこの信号処理ブロック２３からデータを受け取る。かかるデータにより、侵入が生じたという指標、かかる侵入の発生場所及び好ましくは侵入時刻に対応したタイムスタンプが得られる。
【００２０】
侵入が生じたときの通常の動作中、システムコントローラ２５は、データ経路２７により、光ファイバ１７Ａの干渉パターンの処理の結果として得られたかかる侵入に関するデータ並びに光ファイバ１７Ｂの干渉パターンの処理の結果として得られたかかる侵入に関するデータを受け取る。システムコントローラ２５は、場合によっては、かかるデータの重複を検証すると共にかかるデータに基づいて１つ又は２つ以上の警報信号を発生することができる。かかる警報信号をデータ経路２９により出力して、可聴警報（例えば、スピーカ又はベルによりかけられる可聴警報メッセージ又は音色）、可視警報（例えば、可視警報メッセージ及び場合によっては侵入の発生場所の視覚的指標を提供する表示端末装置のアップデート）及び（又は）任意他の適当な警報イベントをトリガするのが良い。
【００２１】
信号処理ブロック２３（及び（又は）システムコントローラ２５）は、データ処理作業を実行することができ、かかるデータ処理作業では、２本の光ファイバ１７Ａ，１７Ｂからの後方散乱信号を分析して光ファイバ１７Ａ，１７Ｂのうちの一方又は両方に破断が生じたかどうかを自動的に検出し、その破断の存在場所を突き止める。システムコントローラ２５は、破断が検出された場合に１つ又は２つ以上の警報信号を発生するのが良い。かかる警報信号をデータ経路２９により出力して可聴警報、可視警報（例えば、可視警報メッセージ及び場合によっては破断の発生場所の視覚的指標を提供する表示端末装置のアップデート）及び（又は）破断を表す任意他の適当な警報イベントをトリガするのが良い。かかる警報信号は、それぞれの光ファイバ（１７Ａ又は１７Ｂ）から破断箇所と光スイッチ１３との間のその長さに沿って戻る後方散乱信号の信号処理作業に由来するであろう。
【００２２】
システムコントローラ２５は又、光源１１、光スイッチ１５及び信号処理ブロック２３の時分割多重化作業を同期させるのに適したタイミング信号を発生させ、かかるタイミング信号は、制御経路３１Ａ，３１Ｂ，３１Ｃによりそれぞれ光源１１、光スイッチ１５及び信号処理ブロック２３に送られる。
【００２３】
図２は、信号処理ブロック２３及びシステムコントローラ２５の例示の実施形態を示している。信号処理ブロック２３は、光検出器２１の出力とインタフェースするアナログ‐ディジタル変換器区分５１を有する。アナログ‐ディジタル変換器区分５１は、光検出器２１から検出された電気信号を指定されたサンプリングレートでサンプル採取し、これらサンプルをディジタル語に変換し、これらディジタル語は、検出された後方散乱信号をディジタル形式で表す。論理５３Ａ，５４Ｂが、変換器区分５１によって生じたディジタル語を２本の光ファイバ１７Ａ，１７Ｂの互いに異なる区分に対応したタイムビンに時分割多重化方式で記憶する。かかる記憶作業に関するタイミングは、システムコントローラ２５のタイミング信号発生器ブロック７１によって生じ、制御経路３１Ｃによりシステムコントローラ２５に送られる制御信号に由来する。光ファイバ１７Ａについて５５A1，５５A2，．．．５５ANと表示され、光ファイバ１７Ｂについては、５７B1，５７B2，．．．５７BNと表示されたタイムビンは、それぞれ、２本の光ファイバ１７Ａ，１７Ｂの互いに異なる長さ分に対応している。論理ブロック５９A1，５９A2，．．．５９ANは、対応のタイムビン５５A1，５５A2，．．．５５ANに記憶されている後方散乱信号データに基づいて動作してそれぞれのタイムビン中の干渉パターンを経時的に分析する。同様に、論理ブロック６１B1，６１B2，．．．６１BNは、対応のタイムビン５７B1，５７B2，．．．５７BNに記憶されている後方散乱信号データに基づいて動作してそれぞれのタイムビン中の干渉パターンを経時的に分析する。タイムビン中の干渉パターンの変化は、そのタイムビンに対応した場所でモニタされている周囲を横切る幾分かのトラフィックを表している。好ましい実施形態では、論理ブロック５９A1，５９A2，．．．５９AN及び論理ブロック６１B1，６１B2，．．．６１BNは、対応のタイムビン中の干渉パターンと対応のタイムビンに関する定常状態の干渉パターンの差を分析する。かかる差に関する作業は、たたみ込み作業、位相差作業、ＦＦＴ作業、フィルタリング作業及び（又は）光時間領域後方散乱測定法で通常用いられる他の作業に基づくのがよい。ブロック６３は、論理ブロック５９A1，５９A2，．．．５９ANの干渉パターン分析を利用して、侵入に関する決定を行い、この決定は、侵入が生じたか否かの決定である。同様に、ブロック６５は、論理ブロック６１B1，６１B2，．．．６１BNの干渉パターン分析を利用して侵入に関する決定を行う。ブロック６３，６５の論理は、侵入者のタイプを識別し、即ち、人か車両か動物かを区別するシグナチュアアナリシスを利用するのが良い。ブロック６３かブロック６５かのいずれかにより侵入が生じたことが判定されると、データがデータ経路２７によりシステムコントローラ２５に提供される。かかるデータは、侵入が生じたという指標、かかる侵入の発生場所及び好ましくは侵入の時刻に対応したタイムスタンプを提供する。
【００２４】
システムコントローラ２５は、かかるデータをデータ経路２７により受け取り、このシステムコントローラは、かかるデータの重複を場合によっては検証すると共に（或いは）かかるデータに基づいて１つ又は２つ以上の警報信号を発生することができる論理ブロック７３を有している。かかる警報信号をデータ経路２９により出力して、可聴警報（例えば、スピーカ又はベルによりかけられる可聴警報メッセージ又は音色）、可視警報（例えば、可視警報メッセージ及び場合によっては侵入の発生場所の視覚的指標を提供する表示端末装置のアップデート）及び（又は）任意他の適当な警報イベントをトリガするのが良い。
【００２５】
信号処理ブロック２３（ブロック５９，６１，６３，６５の一部として）及び（又は）システムコントローラ２５（論理ブロック７３の一部として）は、データ処理作業を実行することができ、かかるデータ処理作業では、２本の光ファイバ１７Ａ，１７Ｂからの後方散乱信号を分析して光ファイバ１７Ａ，１７Ｂのうちの一方又は両方に破断が生じたかどうかを自動的に検出し、その破断の存在場所を突き止める。システムコントローラ２５（論理ブロック２５の一部として）は、破断が検出された場合に１つ又は２つ以上の警報信号を発生するのが良い。かかる警報信号をデータ経路２９により出力して可聴警報、可視警報（例えば、可視警報メッセージ及び場合によっては破断の発生場所の視覚的指標を提供する表示端末装置のアップデート）及び（又は）破断を表す任意他の適当な警報イベントをトリガするのが良い。かかる警報信号は、それぞれの光ファイバ（１７Ａ又は１７Ｂ）から破断箇所と光スイッチ１３との間のその長さに沿って戻る後方散乱信号の信号処理作業に由来するであろう。
【００２６】
システムコントローラ２５は、光源１１、光スイッチ１５及び信号処理ブロック２３の時分割多重化作業を同期させるのに適したタイミング信号を発生させるタイミング信号発生器ブロック７１を更に有し、かかるタイミング信号は、制御経路３１Ａ，３１Ｂ，３１Ｃによりそれぞれ光源１１、光スイッチ１５及び信号処理ブロック２３に送られる。
【００２７】
次に図３を参照すると、本発明の第２の実施形態としての侵入検知システム１０′が、光時間領域後方散乱測定装置（ＯＴＤＲ）（要素１１Ａ′，１３Ａ′，１５Ａ′，２１Ａ′，２３Ａ′，１１Ｂ′，１３Ｂ′，１５Ｂ′，２１Ｂ′，２３Ｂ′）を有し、このＯＴＤＲは、一連の光パルスを２本の光ファイバ１７Ａ′，１７Ｂ′の互いに反対側の端部中に注入し、屈折率が変わる光ファイバ中の箇所から散乱して戻ると共に反射して戻った光をこれら同一の互いに反対側の端部から抽出する。後方散乱光を測定し、時間の関数として記憶し、そしてこれを分析して侵入に関する決定をフォールトトレラント方式で行う。
【００２８】
具体的に説明すると、光時間領域後方散乱測定は、第１のパルス化モードレーザ源１１Ａ′が一連の高コヒーレント光パルスを、第１の方向性結合器１３Ａ′を介して光ファイバ１７Ａ′に放出することによって実現される。第２のパルス化モードレーザ源１１Ｂ′が、一連の光パルスを、第２の方向性結合器１３Ｂ′を介して光ファイバ１７Ｂ′に放出することによって実現される。光ファイバ１７Ａ′，１７Ｂ′は、システムの検出要素を形成し、光ファイバケーブル１９′内に収容されており、この光ファイバケーブルは、侵入が検知されたかどうかについてモニタされるべき構内２０′の周囲に沿って配備又は布設されている。これは、国境、軍事施設、化学プラント、空港、鉄道駅、教化施設、電力ケーブル、トンネル、パイプライン、建物又は他の情報処理能力のある構造物に沿うのが良い。パイプラインに関し、優先してパイプラインに入った構築機材をこれがパイプラインを損傷する恐れのある前に検出するためにパイプラインを優先してモニタするよう光ファイバケーブル１９′を配備するのが良い。光ファイバケーブル１９′の一端部のところで、光ファイバ１７Ａ′は、第１の方向性結合器１３Ａ′に結合される。光ファイバケーブル１９′の他端部では、光ファイバ１７Ｂ′は、図示のように第２の方向性結合器１３Ｂ′に結合される。この形態では、光ファイバ１７Ａ′は、一方向に（左から右へ）モニタされるべき構内２０′の周囲に沿って延び、光ファイバ１７Ｂは、逆の方向に（右から左へ）モニタされるべき構内２０′の周囲に沿って延びている。パルスが光ファイバ１７Ａ′か光ファイバ１７Ｂ′かのいずれか一方に沿って伝搬しているとき、その光は、幾つかの機構によって散乱され、かかる機構は、密度及び組成の変動（レイリー散乱）並びに分子及びバルク振動（それぞれ、ラマン散乱及びブリュアン散乱）を含む。この散乱光のうちの何割かは、それぞれの光ファイバコア内に保持され、レーザ源１１Ａ′，１１Ｂ′に向かって案内されて戻される。この戻り光は、それぞれの方向性結合器１３Ａ′，１３Ｂ′を通り、ここで、光検出器２１Ａ′，２１Ｂ′に差し向けられる。
【００２９】
光検出器２１Ａ′，２１Ｂ′は各々、受け取った後方散乱光を電気信号に変換し、信号処理ブロック２３Ａ′，２３Ｂ′に出力できるようこの電気信号を増幅する。光検出器２１Ａ′，２１Ｂ′によって出力された信号は、光ファイバ１７Ａ′及び光ファイバ１７Ｂ′からそれぞれ後方散乱された光に関する移動‐時間‐窓干渉パターンを表す。かかる干渉パターンは、光ファイバ１７Ａ′，１７Ｂ′の互いに異なる部分からの後方散乱光の干渉状態を表している。光ファイバ１７Ａ′，１７Ｂ′のうちのいずれか一方（又は両方）が例えば承認されていない侵入者又は車両からの外乱によって引き起こされる場合のある衝突音響波（又は圧力）を受けた場合、それぞれの光ファイバの有効屈折率の局所変化が引き起こされ、それにより、外乱の場所に相当する時点でかかる干渉パターンの変化が生じる。信号処理ブロック２３Ａ′は、光検出器２１Ａ′によって出力された信号をディジタル形態に変換し、かかるディジタルデータを時間分解方式で処理してかかるディジタルデータ中の干渉パターンの変化を突き止め、かかる干渉パターンの変化に基づいて侵入が発生したかどうかの判定を行う。同様に、信号処理ブロック２３Ｂ′は、光検出器２１Ｂ′によって出力された信号をディジタル形態に変換し、かかるディジタルデータを時間分解方式で処理してかかるディジタルデータ中の干渉パターンの変化を突き止め、かかる干渉パターンの変化に基づいて侵入が発生したかどうかの判定を行う。
【００３０】
システムコントローラ２５Ｂ′は、信号処理ブロック２３Ｂ′からデータを受け取り、かかるデータにより、侵入が生じたという指標、かかる侵入の発生場所及び好ましくは侵入時刻に対応したタイムスタンプが得られる。システムコントローラ２５Ａ′は、信号処理ブロック２３Ａ′からデータを受け取り、かかるデータにより、侵入が生じたという指標、かかる侵入の発生場所及び好ましくは侵入時刻に対応したタイムスタンプが得られる。システムコントローラ２５Ａ′は、システムコントローラ２５Ｂ′にこれとの間の通信リンクによりかかるデータを伝送し、かかる通信リンクは、ワイヤード通信リンクであっても良く、ワイヤレス通信リンクであっても良い。
【００３１】
侵入が生じたときの通常の動作中、システムコントローラ２５Ｂ′は、光ファイバ１７Ａ′の干渉パターンの処理の結果として得られたかかる侵入に関するデータを信号処理ブロック２３Ａ′から受け取ると共に光ファイバ１７Ｂ′の干渉パターンの処理の結果として得られたデータを信号処理ブロック２３Ｂ′から受け取る。システムコントローラ２５Ｂ′は、場合によっては、かかるデータの重複を検証すると共にかかるデータに基づいて１つ又は２つ以上の警報信号を発生することができる。かかる警報信号を出力して、可聴警報（例えば、スピーカ又はベルによりかけられる可聴警報メッセージ又は音色）、可視警報（例えば、可視警報メッセージ及び場合によっては侵入の発生場所の視覚的指標を提供する表示端末装置のアップデート）及び（又は）任意他の適当な警報イベントをトリガするのが良い。
【００３２】
信号処理ブロック２３Ａ′，２３Ｂ′（及び（又は）システムコントローラ２５Ｂ′）は、データ処理作業を実行することができ、かかるデータ処理作業では、２本の光ファイバ１７Ａ′，１７Ｂ′からの後方散乱信号を分析して光ファイバ１７Ａ′，１７Ｂ′のうちの一方又は両方に破断が生じたかどうかを自動的に検出し、その破断の存在場所を突き止める。システムコントローラ２５Ｂ′は、破断が検出された場合に１つ又は２つ以上の警報信号を発生するのが良い。かかる警報信号を出力して可聴警報、可視警報（例えば、可視警報メッセージ及び場合によっては破断の発生場所の視覚的指標を提供する表示端末装置のアップデート）及び（又は）破断を表す任意他の適当な警報イベントをトリガするのが良い。かかる警報信号は、それぞれの光ファイバ（１７Ａ′又は１７Ｂ′）から破断箇所とそれぞれの方向性結合器（１３Ａ′又は１３Ｂ′）との間のその長さに沿って戻る後方散乱信号の信号処理作業に由来するであろう。
【００３３】
図４は、信号処理ブロック２３Ａ′及びシステムコントローラ２５Ａ′並びに信号処理ブロック２３Ｂ′及びシステムコントローラ２５Ｂ′の例示の実施形態を示している。信号処理ブロック２３Ａ′は、光検出器２１Ａ′の出力とインタフェースするアナログ‐ディジタル変換器区分５１Ａ′を有する。アナログ‐ディジタル変換器区分５１Ａ′は、光検出器２１Ａ′から検出された電気信号を指定されたサンプリングレートでサンプル採取し、これらサンプルをディジタル語に変換し、これらディジタル語は、検出された後方散乱信号をディジタル形式で表す。論理５３Ａ′が、変換器区分５１Ａ′によって生じたディジタル語を２本の光ファイバ１７Ａ′の互いに異なる区分に対応したタイムビンに時分割多重化方式で記憶する。光ファイバ１７Ａについて５５A1′，５５A2′，．．．５５AN′と表示されタイムビンは、光ファイバ１７Ａ′の互いに異なる長さ分に対応している。論理ブロック５９A1′，５９A2′，．．．５９AN′は、対応のタイムビン５５A1′，５５A2′，．．．５５AN′に記憶されている後方散乱信号データに基づいて動作してそれぞれのタイムビン中の干渉パターンを経時的に分析する。タイムビン中の干渉パターンの変化は、そのタイムビンに対応した場所でモニタされている周囲を横切る幾分かのトラフィックを表している。好ましい実施形態では、論理ブロック５９A1′，５９A2′，．．．５９AN′は、対応のタイムビン中の干渉パターンと対応のタイムビンに関する定常状態の干渉パターンの差を分析する。かかる差に関する作業は、たたみ込み作業、位相差作業、ＦＦＴ作業、フィルタリング作業及び（又は）光時間領域後方散乱測定法で通常用いられる他の作業に基づくのがよい。ブロック６３′は、論理ブロック５９A1′，５９A2′，．．．５９AN′の干渉パターン分析を利用して、侵入に関する決定を行い、この決定は、侵入が生じたか否かの決定である。
【００３４】
同様に、信号処理ブロック２３Ｂ′は、光検出器２１Ｂ′の出力とインタフェースするアナログ‐ディジタル変換器区分５１Ｂ′を有する。アナログ‐ディジタル変換器区分５１Ｂ′は、光検出器２１Ｂ′から検出された電気信号を指定されたサンプリングレートでサンプル採取し、これらサンプルをディジタル語に変換し、これらディジタル語は、検出された後方散乱信号をディジタル形式で表す。論理５３Ｂ′が、変換器区分５１Ｂ′によって生じたディジタル語を２本の光ファイバ１７Ｂ′の互いに異なる区分に対応したタイムビンに時分割多重化方式で記憶する。光ファイバ１７Ｂについて５７B1′，５７B2′，．．．５７BN′と表示されタイムビンは、光ファイバ１７Ｂ′の互いに異なる長さ分に対応している。論理ブロック６１B1′，６１B2′，．．．６１BN′は、対応のタイムビン５７B1′，５７B2′，．．．５７BN′に記憶されている後方散乱信号データに基づいて動作してそれぞれのタイムビン中の干渉パターンを経時的に分析する。タイムビン中の干渉パターンの変化は、そのタイムビンに対応した場所でモニタされている周囲を横切る幾分かのトラフィックを表している。好ましい実施形態では、論理ブロック６１B1′，６１B2′，．．．６１BN′は、対応のタイムビン中の干渉パターンと対応のタイムビンに関する定常状態の干渉パターンの差を分析する。かかる差に関する作業は、たたみ込み作業、位相差作業、ＦＦＴ作業、フィルタリング作業及び（又は）光時間領域後方散乱測定法で通常用いられる他の作業に基づくのがよい。ブロック６３′は、論理ブロック６１B1′，６１B2′，．．．６１BN′の干渉パターン分析を利用して、侵入に関する決定を行い、この決定は、侵入が生じたか否かの決定である。ブロック６３′，６５′の論理は、侵入者のタイプを識別し、即ち、人か車両か動物かを区別するシグナチュアアナリシスを利用するのが良い。
ブロック６３′が、侵入を検出すると、データがシステムコントローラ２５Ａ′に提供され、かかるデータにより、侵入が生じたという指標、かかる侵入の発生場所及び好ましくは侵入時刻に対応したタイムスタンプが得られる。システムコントローラ２５Ａ′は、システムコントローラ２５Ｂ′に、通信インタフェース６６Ａ′，６６Ｂ′によってサポートされたこれとの通信リンクによりかかるデータを伝送する。同様に、ブロック６５′が、侵入を検出すると、データがシステムコントローラ２５Ｂ′に提供され、かかるデータにより、侵入が生じたという指標、かかる侵入の発生場所及び好ましくは侵入時刻に対応したタイムスタンプが得られる。
【００３５】
システムコントローラ２５Ｂ′は、かかるデータを受け取り、このシステムコントローラは、かかるデータの重複を場合によっては検証すると共に（或いは）かかるデータに基づいて１つ又は２つ以上の警報信号を発生することができる論理ブロック７３′を有している。かかる警報信号を出力して、可聴警報（例えば、スピーカ又はベルによりかけられる可聴警報メッセージ又は音色）、可視警報（例えば、可視警報メッセージ及び場合によっては侵入の発生場所の視覚的指標を提供する表示端末装置のアップデート）及び（又は）任意他の適当な警報イベントをトリガするのが良い。
【００３６】
信号処理ブロック２３Ａ′，２３Ｂ′（ブロック５９′，６１′，６３′，６５′の一部として）及び（又は）システムコントローラ２５Ｂ′（論理ブロック７３′の一部として）は、データ処理作業を実行することができ、かかるデータ処理作業では、２本の光ファイバ１７Ａ′，１７Ｂ′からの後方散乱信号を分析して光ファイバ１７Ａ′，１７Ｂ′のうちの一方又は両方に破断が生じたかどうかを自動的に検出し、その破断の存在場所を突き止める。システムコントローラ２５Ｂ′（論理ブロック７３′の一部として）は、破断が検出された場合に１つ又は２つ以上の警報信号を発生するのが良い。かかる警報信号を出力して可聴警報、可視警報（例えば、可視警報メッセージ及び場合によっては破断の発生場所の視覚的指標を提供する表示端末装置のアップデート）及び（又は）破断を表す任意他の適当な警報イベントをトリガするのが良い。かかる警報信号は、それぞれの光ファイバ（１７Ａ′又は１７Ｂ′）から破断箇所とそれぞれの方向性結合器（１３Ａ′又は１３Ｂ′）との間のその長さに沿って戻る後方散乱信号の信号処理作業に由来するであろう。
【００３７】
システムコントローラ２５Ａ′，２５Ｂ′は、それぞれのタイミング信号発生器ブロック７１Ａ′７１Ｂ′を更に有し、かかるタイミング信号発生器ブロック７１Ａ′，７１Ｂ′は、それぞれ、パルス化モード光源１１Ａ′，１１Ｂ′を駆動するのに適したタイミング信号を発生する。
【００３８】
次に図５を参照すると、本発明の第２の実施形態としての侵入検知システム１０″が、光時間領域後方散乱測定装置（ＯＴＤＲ）（要素１１Ａ″，１３Ａ″，１５Ａ″，２１Ａ″，２３Ａ″，１１Ｂ″，１３Ｂ″，１５Ｂ″，２１Ｂ″，２３Ｂ″）を有し、このＯＴＤＲは、一連の光パルスを２本の光ファイバ１７Ａ″，１７Ｂ″の互いに反対側の端部中に注入し、屈折率が変わる光ファイバ中の箇所から散乱して戻ると共に反射して戻った光をこれら同一の互いに反対側の端部から抽出する。後方散乱光を測定し、時間の関数として記憶し、そしてこれを分析して侵入に関する決定をフォールトトレラント方式で行う。
【００３９】
具体的に説明すると、光時間領域後方散乱測定は、第１のパルス化モードレーザ源１１Ａ″が一連の高コヒーレント光パルスを、第１の方向性結合器１３Ａ″を介して光ファイバ１７Ａ″に放出することによって実現される。第２のパルス化モードレーザ源１１Ｂ″が、一連の光パルスを、第２の方向性結合器１３Ｂ″を介して光ファイバ１７Ｂ″に放出することによって実現される。レーザ源１１Ａ″は、第１の波長（λA）で動作し、レーザ源１１Ｂ″は、第１の波長（λA）とは異なる第２の波長（λB）で動作する。光ファイバ１７Ａ″は、システムの検出要素を形成し、光ファイバケーブル１９″内に収容されており、この光ファイバケーブルは、侵入が検知されたかどうかについてモニタされるべき構内２０″の周囲に沿って配備又は布設されている。これは、国境、軍事施設、化学プラント、空港、鉄道駅、教化施設、電力ケーブル、トンネル、パイプライン、建物又は他の情報処理能力のある構造物に沿うのが良い。パイプラインに関し、優先してパイプラインに入った構築機材をこれがパイプラインを損傷する恐れのある前に検出するためにパイプラインを優先してモニタするよう光ファイバケーブル１９″を配備するのが良い。光ファイバケーブル１９″の一端部のところで、光ファイバ１７Ａ″は、第１の方向性結合器１３Ａ″に結合される。光ファイバケーブル１９″の他端部では、光ファイバ１７Ｂ″は、図示のように第２の方向性結合器１３Ｂ″に結合される。パルスが光ファイバ１７Ａ″か光ファイバ１７Ｂ″かのいずれか一方に沿って伝搬しているとき、その光は、幾つかの機構によって散乱され、かかる機構は、密度及び組成の変動（レイリー散乱）並びに分子及びバルク振動（それぞれ、ラマン散乱及びブリュアン散乱）を含む。この散乱光のうちの何割かは、それぞれの光ファイバコア内に保持され、レーザ源１１Ａ″，１１Ｂ″に向かって案内されて戻される。この戻り光は、それぞれの方向性結合器１３Ａ″，１３Ｂ″を通り、ここで、光検出器２１Ａ″，２１Ｂ″に差し向けられる。
【００４０】
光検出器２１Ａ″，２１Ｂ″は各々、受け取った後方散乱光を電気信号に変換し、信号処理ブロック２３Ａ″，２３Ｂ″に出力できるようこの電気信号を増幅する。光検出器２１Ａ″によって出力された信号は、第１の波長（λA）について光ファイバ１７Ａ″からそれぞれ後方散乱された光に関する移動‐時間‐窓干渉パターンを表す。光検出器２１Ｂ″によって出力された信号は、第２の波長（λB）について光ファイバ１７Ｂ″からそれぞれ後方散乱された光に関する移動‐時間‐窓干渉パターンを表す。かかる干渉パターンは、光ファイバ１７Ａ″，１７Ｂ″の互いに異なる部分からの後方散乱光の干渉状態を表している。光ファイバ１７Ａ″，１７Ｂ″のうちのいずれか一方（又は両方）が例えば承認されていない侵入者又は車両からの外乱によって引き起こされる場合のある衝突音響波（又は圧力）を受けた場合、それぞれの光ファイバの有効屈折率の局所変化が引き起こされ、それにより、外乱の場所に相当する時点でかかる干渉パターンの変化が生じる。信号処理ブロック２３Ａ″は、光検出器２１Ａ″によって出力された信号をディジタル形態に変換し、かかるディジタルデータを時間分解方式で処理して第１の波長（λA）について干渉パターンの変化を突き止め、かかる干渉パターンの変化に基づいて侵入が発生したかどうかの判定を行う。同様に、信号処理ブロック２３Ｂ″は、光検出器２１Ｂ″によって出力された信号をディジタル形態に変換し、かかるディジタルデータを時間分解方式で処理して第２の波長（λB）について干渉パターンの変化を突き止め、かかる干渉パターンの変化に基づいて侵入が発生したかどうかの判定を行う。
【００４１】
システムコントローラ２５Ｂ″は、信号処理ブロック２３Ｂ″からデータを受け取り、かかるデータにより、侵入が生じたという指標、かかる侵入の発生場所及び好ましくは侵入時刻に対応したタイムスタンプが得られる。システムコントローラ２５Ａ″は、信号処理ブロック２３Ａ″からデータを受け取り、かかるデータにより、侵入が生じたという指標、かかる侵入の発生場所及び好ましくは侵入時刻に対応したタイムスタンプが得られる。システムコントローラ２５Ａ″は、システムコントローラ２５Ｂ″にこれとの間の通信リンクによりかかるデータを伝送し、かかる通信リンクは、ワイヤード通信リンクであっても良く、ワイヤレス通信リンクであっても良い。
【００４２】
侵入が生じたときの通常の動作中、システムコントローラ２５Ｂ″は、光ファイバ１７Ａ″の干渉パターンの処理の結果として得られたかかる侵入に関するデータを信号処理ブロック２３Ａ″から受け取ると共に光ファイバ１７Ｂ″の干渉パターンの処理の結果として得られたデータを信号処理ブロック２３Ｂ″から受け取る。システムコントローラ２５Ｂ″は、場合によっては、かかるデータの重複を検証すると共にかかるデータに基づいて１つ又は２つ以上の警報信号を発生することができる。かかる警報信号を出力して、可聴警報（例えば、スピーカ又はベルによりかけられる可聴警報メッセージ又は音色）、可視警報（例えば、可視警報メッセージ及び場合によっては侵入の発生場所の視覚的指標を提供する表示端末装置のアップデート）及び（又は）任意他の適当な警報イベントをトリガするのが良い。
【００４３】
信号処理ブロック２３Ａ″，２３Ｂ″（及び（又は）システムコントローラ２５Ｂ″）は、データ処理作業を実行することができ、かかるデータ処理作業では、２本の光ファイバ１７Ａ″，１７Ｂ″からの後方散乱信号を分析して光ファイバ１７Ａ″，１７Ｂ″のうちの一方又は両方に破断が生じたかどうかを自動的に検出し、その破断の存在場所を突き止める。システムコントローラ２５Ｂ″は、破断が検出された場合に１つ又は２つ以上の警報信号を発生するのが良い。かかる警報信号を出力して可聴警報、可視警報（例えば、可視警報メッセージ及び場合によっては破断の発生場所の視覚的指標を提供する表示端末装置のアップデート）及び（又は）破断を表す任意他の適当な警報イベントをトリガするのが良い。かかる警報信号は、それぞれの光ファイバ（１７Ａ″又は１７Ｂ″）から破断箇所とそれぞれの方向性結合器（１３Ａ″又は１３Ｂ″）との間のその長さに沿って戻る後方散乱信号の信号処理作業に由来するであろう。
【００４４】
図６は、信号処理ブロック２３Ａ″及びシステムコントローラ２５Ａ″並びに信号処理ブロック２３Ｂ″及びシステムコントローラ２５Ｂ″の例示の実施形態を示している。信号処理ブロック２３Ａ″は、光検出器２１Ａ″の出力とインタフェースするアナログ‐ディジタル変換器区分５１Ａ″を有する。アナログ‐ディジタル変換器区分５１Ａ″は、光検出器２１Ａ″から検出された電気信号を指定されたサンプリングレートでサンプル採取し、これらサンプルをディジタル語に変換し、これらディジタル語は、検出された後方散乱信号をディジタル形式で表す。論理５３Ａ″が、変換器区分５１Ａ″によって生じたディジタル語を２本の光ファイバ１７Ａ″の互いに異なる区分に対応したタイムビンに時分割多重化方式で記憶する。光ファイバ１７Ａについて５５A1″，５５A2″，．．．５５AN″と表示されタイムビンは、光ファイバ１７Ａ″の互いに異なる長さ分に対応している。論理ブロック５９A1″，５９A2″，．．．５９AN″は、対応のタイムビン５５A1″，５５A2″，．．．５５AN″に記憶されている後方散乱信号データに基づいて動作してそれぞれのタイムビン中の干渉パターンを経時的に分析する。タイムビン中の干渉パターンの変化は、そのタイムビンに対応した場所でモニタされている周囲を横切る幾分かのトラフィックを表している。好ましい実施形態では、論理ブロック５９A1″，５９A2″，．．．５９AN″は、対応のタイムビン中の干渉パターンと対応のタイムビンに関する定常状態の干渉パターンの差を分析する。かかる差に関する作業は、たたみ込み作業、位相差作業、ＦＦＴ作業、フィルタリング作業及び（又は）光時間領域後方散乱測定法で通常用いられる他の作業に基づくのがよい。ブロック６３″は、論理ブロック５９A1″，５９A2″，．．．５９AN″の干渉パターン分析を利用して、侵入に関する決定を行い、この決定は、侵入が生じたか否かの決定である。
【００４５】
同様に、信号処理ブロック２３Ｂ″は、光検出器２１Ｂ″の出力とインタフェースするアナログ‐ディジタル変換器区分５１Ｂ″を有する。アナログ‐ディジタル変換器区分５１Ｂ″は、光検出器２１Ｂ″から検出された電気信号を指定されたサンプリングレートでサンプル採取し、これらサンプルをディジタル語に変換し、これらディジタル語は、検出された後方散乱信号をディジタル形式で表す。論理５３Ｂ″が、変換器区分５１Ｂ″によって生じたディジタル語を２本の光ファイバ１７Ｂ″の互いに異なる区分に対応したタイムビンに時分割多重化方式で記憶する。光ファイバ１７Ｂについて５７B1″，５７B2″，．．．５７BN″と表示されタイムビンは、光ファイバ１７Ｂ″の互いに異なる長さ分に対応している。論理ブロック６１B1″，６１B2″，．．．６１BN″は、対応のタイムビン５７B1″，５７B2″，．．．５７BN″に記憶されている後方散乱信号データに基づいて動作してそれぞれのタイムビン中の干渉パターンを経時的に分析する。タイムビン中の干渉パターンの変化は、そのタイムビンに対応した場所でモニタされている周囲を横切る幾分かのトラフィックを表している。好ましい実施形態では、論理ブロック６１B1″，６１B2″，．．．６１BN″は、対応のタイムビン中の干渉パターンと対応のタイムビンに関する定常状態の干渉パターンの差を分析する。かかる差に関する作業は、たたみ込み作業、位相差作業、ＦＦＴ作業、フィルタリング作業及び（又は）光時間領域後方散乱測定法で通常用いられる他の作業に基づくのがよい。ブロック６３″は、論理ブロック６１B1″，６１B2″，．．．６１BN″の干渉パターン分析を利用して、侵入に関する決定を行い、この決定は、侵入が生じたか否かの決定である。ブロック６３″，６５″の論理は、侵入者のタイプを識別し、即ち、人か車両か動物かを区別するシグナチュアアナリシスを利用するのが良い。
【００４６】
ブロック６３″が、侵入を検出すると、データがシステムコントローラ２５Ａ″に提供され、かかるデータにより、侵入が生じたという指標、かかる侵入の発生場所及び好ましくは侵入時刻に対応したタイムスタンプが得られる。システムコントローラ２５Ａ″は、システムコントローラ２５Ｂ″に、通信インタフェース６６Ａ″，６６Ｂ″によってサポートされたこれとの通信リンクによりかかるデータを伝送する。同様に、ブロック６５″が、侵入を検出すると、データがシステムコントローラ２５Ｂ″に提供され、かかるデータにより、侵入が生じたという指標、かかる侵入の発生場所及び好ましくは侵入時刻に対応したタイムスタンプが得られる。システムコントローラ２５Ｂ″は、かかるデータを受け取り、このシステムコントローラは、かかるデータの重複を場合によっては検証すると共に（或いは）かかるデータに基づいて１つ又は２つ以上の警報信号を発生することができる論理ブロック７３″を有している。かかる警報信号を出力して、可聴警報（例えば、スピーカ又はベルによりかけられる可聴警報メッセージ又は音色）、可視警報（例えば、可視警報メッセージ及び場合によっては侵入の発生場所の視覚的指標を提供する表示端末装置のアップデート）及び（又は）任意他の適当な警報イベントをトリガするのが良い。
【００４７】
信号処理ブロック２３Ａ″，２３Ｂ″（ブロック５９″，６１″，６３″，６５″の一部として）及び（又は）システムコントローラ２５Ｂ″（論理ブロック７３″の一部として）は、データ処理作業を実行することができ、かかるデータ処理作業では、２本の光ファイバ１７Ａ″，１７Ｂ″からの後方散乱信号を分析して光ファイバ１７Ａ″，１７Ｂ″のうちの一方又は両方に破断が生じたかどうかを自動的に検出し、その破断の存在場所を突き止める。システムコントローラ２５Ｂ″（論理ブロック７３″の一部として）は、破断が検出された場合に１つ又は２つ以上の警報信号を発生するのが良い。かかる警報信号を出力して可聴警報、可視警報（例えば、可視警報メッセージ及び場合によっては破断の発生場所の視覚的指標を提供する表示端末装置のアップデート）及び（又は）破断を表す任意他の適当な警報イベントをトリガするのが良い。かかる警報信号は、それぞれの光ファイバ（１７Ａ″又は１７Ｂ″）から破断箇所とそれぞれの方向性結合器（１３Ａ″又は１３Ｂ″）との間のその長さに沿って戻る後方散乱信号の信号処理作業に由来するであろう。
【００４８】
システムコントローラ２５Ａ″，２５Ｂ″は、それぞれのタイミング信号発生器ブロック７１Ａ″７１Ｂ″を更に有し、かかるタイミング信号発生器ブロック７１Ａ″，７１Ｂ″は、それぞれ、パルス化モード光源１１Ａ″，１１Ｂ″を駆動するのに適したタイミング信号を発生する。
【００４９】
有利には、本明細書において説明した光ファイバ利用侵入検知システムは、システムの検出用光ファイバに破断が生じた場合でも動作を続行することができる。かかるシステムは又、かかる破断の位置を報告する。さらに、本明細書において説明した光ファイバ利用侵入検知システムは、多種多様な用途、例えば国境、軍事施設、化学プラント、空港、鉄道駅、教化施設、電力ケーブル、トンネル、パイプライン、建物又は他の情報処理能力のある構造物のモニタに利用できる。
【００５０】
本明細書において、ＯＴＤＲサブシステムを採用したフォールトトレラント型侵入検知システム及びその作動方法の幾つかの実施形態を説明すると共に図示した。本発明の特定の実施形態を説明したが、本発明は、かかる実施形態に限定されることはない。というのは、本発明は、当該技術分野において可能なほど範囲が広く、明細書は、同様に読まれるべきだからである。かくして、特定の信号処理機能及び侵入検知に関する方法論を開示したが、他の信号処理機能及び侵入検知に関する方法論も又想到できることは理解されよう。加うるに、特定のシステムアーキテクチャを開示したが、他のシステムアーキテクチャを使用できることは理解されよう。例えば、本明細書において説明した信号処理ステップ及び（又は）制御及び警報通報ステップを周知である単一のコンピュータ処理プラットホームで又は分散型コンピュータ処理プラットホームで実施することができる。したがって、当業者であれば理解されるように、特許請求の範囲に記載された本発明の精神及び範囲から逸脱することなく、提供された本発明の更に別の改造例を想到できる。
【図１】
2010515094.tif 000003
【図２】
2010515094.tif 000004
【図３】
2010515094.tif 000005
【図４】
2010515094.tif 000006
【図５】
2010515094.tif 000007
【図６】
2010515094.tif 000008
【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
構内をモニタする侵入検知システムであって、
前記構内の周りに延びる少なくとも１本の光ケーブルを有し、前記少なくとも１本の光ケーブルは、第１の端部及びこれと反対側の第２の端部を備えた少なくとも１本の光ファイバを有し、
前記少なくとも１本の光ファイバの前記第１の端部及び前記第２の端部に動作可能に結合された光時間領域後方散乱測定手段を有し、前記光時間領域後方散乱測定手段は、前記構内の侵入を検知するために前記少なくとも１本の光ファイバの前記第１の端部を介して受け取った後方散乱信号を分析する第１の信号処理回路と、前記構内の侵入を検知するために前記少なくとも１本の光ファイバの前記第２の端部を介して受け取った後方散乱信号を分析する第２の信号処理回路とを有する、侵入検知システム。
【請求項２】
前記第１の信号処理回路及び前記第２の信号処理回路に動作可能に結合されていて、前記第１の信号処理回路及び前記第２の信号処理回路によって行われた侵入決定の重複を検証する制御手段を更に有する、請求項１記載の侵入検知システム。
【請求項３】
前記制御手段は、前記第１の信号処理手段に動作可能に結合された第１の部分と、前記第２の信号処理手段に動作可能に結合されていて、前記第１の部分から遠くに配置された第２の部分と、前記第１の部分と前記第２の部分との間でデータを伝送する通信手段とを有する、請求項２記載の侵入検知システム。
【請求項４】
前記少なくとも１本の光ファイバの破断を検出する手段を更に有する、請求項１記載の侵入検知システム。
【請求項５】
各々が第１の端部及びこれと反対側の端部を備えた１対の光ファイバを収容した光ケーブルを有し、前記光ファイバ対に属する一方の光ファイバの前記第１の端部は、前記光時間領域後方散乱測定手段に動作可能に結合され、前記光ファイバ対に属する他方の光ファイバの前記第２の端部は、前記光時間領域後方散乱測定手段に動作可能に結合されている、請求項１記載の侵入検知システム。
【請求項６】
前記光時間領域後方散乱測定手段は、
光パルスを発生させるレーザ源と、
光検出器と、
前記レーザ源と前記光ファイバ対との間に動作可能に結合された光スイッチ付き方向性結合器とを有し、前記光スイッチ付き方向性結合器は、前記光パルスを前記光ファイバ対により時分割多重化方式で方向づけると共に前記光ファイバ対に沿って伝搬して戻った散乱信号を前記光検出器に時分割多重化方式で方向づけ、
前記第１の信号処理回路は、前記構内の侵入を検知するために前記一方の光ファイバの前記第１の端部を介して受け取った前記後方散乱信号を分析し、
前記第２の信号処理回路は、前記構内の侵入を検知するために前記他方の光ファイバの前記第２の端部を介して受け取った後方散乱信号を分析する、請求項５記載の侵入検知システム。
【請求項７】
前記光時間領域後方散乱測定手段は、
光パルスを発生させる第１のレーザ源を有し、
第１の光検出器を有し、
前記第１のレーザ源と前記光ファイバ対の前記一方の光ファイバの前記第１の端部との間に動作可能に結合された第１の方向性結合器を有し、前記第１の方向性結合器は、前記第１のレーザ源により発生した前記光パルスを前記一方の光ファイバにより方向づけると共に前記一方の光ファイバに沿って伝搬して戻った散乱信号を前記第１の光検出器に方向づけ、前記第１の信号処理回路は、前記構内の侵入を検知するために前記一方の光ファイバを介して受け取った前記後方散乱信号を分析し、
光パルスを発生させる第２のレーザ源を有し、
第２の光検出器を有し、
前記第２のレーザ源と前記光ファイバ対の前記他方の光ファイバとの間に動作可能に結合された第２の方向性結合器を有し、前記第２の方向性結合器は、前記第２のレーザ源により発生した前記光パルスを前記他方の光ファイバにより方向づけると共に前記他方の光ファイバに沿って伝搬して戻った散乱信号を前記第２の光検出器に方向づけ、前記第２の信号処理回路は、前記構内の侵入を検知するために前記他方の光ファイバを介して受け取った前記後方散乱信号を分析する、請求項５記載の侵入検知システム。
【請求項８】
前記光時間領域後方散乱測定手段は、
第１の波長の光パルスを発生させる第１のレーザ源を有し、
第１の光検出器を有し、
前記第１のレーザ源と前記光ファイバの前記第１の端部との間に動作可能に結合された第１の方向性結合器を有し、前記第１の方向性結合器は、前記第１のレーザ源により発生した前記光パルスを前記光ファイバにより方向づけると共に前記光ファイバに沿って伝搬して戻った散乱信号を前記第１の光検出器に方向づけ、前記第１の信号処理回路は、前記構内の侵入を検知するために前記光ファイバの第１の端部を介して受け取った前記第１の波長の前記後方散乱信号を分析し、
第１の波長とは異なる第２の波長の光パルスを発生させる第２のレーザ源を有し、
第２の光検出器を有し、
前記第２のレーザ源と前記光ファイバの前記第２の端部との間に動作可能に結合された第２の方向性結合器を有し、前記第２の方向性結合器は、前記第２のレーザ源により発生した前記光パルスを前記光ファイバにより方向づけると共に前記光ファイバに沿って伝搬して戻った散乱信号を前記第２の光検出器に方向づけ、前記第２の信号処理回路は、前記構内の侵入を検知するために前記光ファイバの第２の端部を介して受け取った前記第２の波長の前記後方散乱信号を分析する、請求項１記載の侵入検知システム。
【請求項９】
構内の侵入を検知する方法であって、
前記構内の周りに延びる少なくとも１本の光ケーブルであって、第１の端部及びこれと反対側の第２の端部を備えた少なくとも１本の光ファイバを有する少なくとも１本の光ケーブルを用意するステップと、
光時間領域後方散乱測定手段を前記少なくとも１本の光ファイバの前記第１の端部及び前記第２の端部に結合するステップと、
前記光時間領域後方散乱測定手段を用いて前記構内の侵入を検知するために前記少なくとも１本の光ファイバの前記第１の端部を介して受け取った後方散乱信号を分析すると共に前記少なくとも１本の光ファイバの前記第２の端部を介して受け取った後方散乱信号を分析するステップとを有する、方法。
【請求項１０】
前記少なくとも１本の光ファイバの前記第１の端部及び前記第２の端部を介して受け取った別々の後方散乱信号の分析に基づいて侵入決定の重複を検証するステップを更に有する、請求項９記載の方法。
【請求項１１】
前記少なくとも１本の光ファイバの前記第１の端部及び前記第２の端部を介して受け取った別々の後方散乱信号の分析に基づいて少なくとも１本の光ファイバの破断を検出するステップを更に有する、請求項９記載の方法。
【請求項１２】
前記少なくとも１本の光ケーブルは、各々が第１の端部及びこれと反対側の第２の端部を備えた１対の光ファイバを収容した光ケーブルを含み、前記光ファイバ対に属する一方の光ファイバの前記第１の端部は、前記光時間領域後方散乱測定手段に動作可能に結合され、前記光ファイバ対に属する他方の光ファイバの前記第２の端部は、前記光時間領域後方散乱測定手段に動作可能に結合されている、請求項９記載の方法。
【請求項１３】
前記光時間領域後方散乱測定手段は、
光パルスを発生させるレーザ源と、
光検出器と、
前記レーザ源と前記光ファイバ対との間に動作可能に結合された光スイッチ付き方向性結合器とを有し、前記光スイッチ付き方向性結合器は、前記光パルスを前記光ファイバ対により時分割多重化方式で方向づけると共に前記光ファイバ対に沿って伝搬して戻った散乱信号を前記光検出器に時分割多重化方式で方向づけ、
前記第１の信号処理回路は、前記構内の侵入を検知するために前記一方の光ファイバの前記第１の端部を介して受け取った前記後方散乱信号を分析し、前記第２の信号処理回路は、前記構内の侵入を検知するために前記他方の光ファイバの前記第２の端部を介して受け取った後方散乱信号を分析する、請求項１２記載の方法。
【請求項１４】
前記光時間領域後方散乱測定手段は、
光パルスを発生させる第１のレーザ源を有し、
第１の光検出器を有し、
前記第１のレーザ源と前記光ファイバ対の前記一方の光ファイバの前記第１の端部との間に動作可能に結合された第１の方向性結合器を有し、前記第１の方向性結合器は、前記第１のレーザ源により発生した前記光パルスを前記一方の光ファイバにより方向づけると共に前記一方の光ファイバに沿って伝搬して戻った散乱信号を前記第１の光検出器に方向づけ、前記第１の信号処理回路は、前記構内の侵入を検知するために前記一方の光ファイバを介して受け取った前記後方散乱信号を分析し、
光パルスを発生させる第２のレーザ源を有し、
第２の光検出器を有し、
前記第２のレーザ源と前記光ファイバ対の前記他方の光ファイバとの間に動作可能に結合された第２の方向性結合器を有し、前記第２の方向性結合器は、前記第２のレーザ源により発生した前記光パルスを前記他方の光ファイバにより方向づけると共に前記他方の光ファイバに沿って伝搬して戻った散乱信号を前記第２の光検出器に方向づけ、前記第２の信号処理回路は、前記構内の侵入を検知するために前記他方の光ファイバを介して受け取った前記後方散乱信号を分析する、請求項１２記載の方法。
【請求項１５】
前記光時間領域後方散乱測定手段は、
第１の波長の光パルスを発生させる第１のレーザ源を有し、
第１の光検出器を有し、
前記第１のレーザ源と前記光ファイバの前記第１の端部との間に動作可能に結合された第１の方向性結合器を有し、前記第１の方向性結合器は、前記第１のレーザ源により発生した前記光パルスを前記光ファイバにより方向づけると共に前記光ファイバに沿って伝搬して戻った散乱信号を前記第１の光検出器に方向づけ、前記第１の信号処理回路は、前記構内の侵入を検知するために前記光ファイバの第１の端部を介して受け取った前記第１の波長の前記後方散乱信号を分析し、
第１の波長とは異なる第２の波長の光パルスを発生させる第２のレーザ源を有し、
第２の光検出器を有し、
前記第２のレーザ源と前記光ファイバの前記第２の端部との間に動作可能に結合された第２の方向性結合器を有し、前記第２の方向性結合器は、前記第２のレーザ源により発生した前記光パルスを前記光ファイバにより方向づけると共に前記光ファイバに沿って伝搬して戻った散乱信号を前記第２の光検出器に方向づけ、前記第２の信号処理回路は、前記構内の侵入を検知するために前記光ファイバの第２の端部を介して受け取った前記第２の波長の前記後方散乱信号を分析する、請求項９記載の方法。
【国際調査報告】
2010515094.tif 000009
2010515094.tif 000010
2010515094.tif 000011